(57)【要約】【課題】ＳＴＬ／ＴＴＬ伝送システムの送信装置において、送出すべき複数マイクロ波チャンネルの放送素材信号をマイクロ波チャンネル単位で合成して送出し得る。【解決手段】指定されたマイクロ波チャンネルｆ１の放送素材信号を抽出するための超伝導フィルタ１３，１４を結合器１５の一方の端子対にそれぞれ接続し、結合器１５の他方の端子対にマイクロ波チャンネルｆ２の放送素材信号を入力するための入力端子１９及びマイクロ波チャンネルｆ１，ｆ２の混合信号を出力するための出力端子１８を接続するようにしている。【選択図】    図２
2005064578.tif 000002
【特許請求の範囲】
【請求項１】
デジタル放送に用いられ、互いに異なるマイクロ波チャンネルにより複数の演奏所または送信所から送出される複数の放送素材信号を個別に受信するＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）伝送システムの送信装置であって、
送信すべく複数のマイクロ波チャンネルの放送素材信号の中から特定の第１のマイクロ波チャンネルの放送素材信号を抽出する少なくとも１つの超伝導フィルタと、
この超伝導フィルタの出力と、該超伝導フィルタで抽出すべき第１のマイクロ波チャンネルとは異なる第２のマイクロ波チャンネルの放送素材信号とを選択的に合成する信号合成手段とを具備したことを特徴とするＳＴＬ／ＴＴＬ伝送システムの送信装置。
【請求項２】
前記超伝導フィルタは２個備え、
前記信号合成手段は、２端子対の結合器を備え、この結合器の一方の端子対を第１の端子対として２つの超伝導フィルタを接続し、他方の端子対を第２の端子対としこの第２の端子対のうちの一方の端子には前記第２のマイクロ波チャンネルの放送素材信号を入力し、前記２つの超伝導フィルタにより前記第２のマイクロ波チャンネルの放送素材信号を反射させることで、この第２のマイクロ波チャンネルの放送素材信号と超伝導フィルタから出力される第１のマイクロ波チャンネルの放送素材信号とを前記第２の端子対の他方の端子から出力することを特徴とする請求項１記載のＳＴＬ／ＴＴＬ伝送システムの送信装置。
【請求項３】
前記信号合成手段は、超伝導フィルタの出力と、該超伝導フィルタで抽出すべき第１のマイクロ波チャンネルとは異なる第２のマイクロ波チャンネルの放送素材信号とを選択的に導出するサーキュレータを備えることを特徴とする請求項１記載のＳＴＬ／ＴＴＬ伝送システムの送信装置。
【請求項４】
デジタル放送に用いられ、互いに異なるマイクロ波チャンネルにより複数の演奏所または送信所から送出される複数の放送素材信号を個別に受信するＳＴＬ／ＴＴＬ伝送システムの受信装置であって、
受信したマイクロ波から特定の第１のマイクロ波チャンネルの放送素材信号を抽出する少なくとも１つの超伝導フィルタと、
前記マイクロ波のうちの前記超伝導フィルタで抽出されない第２のマイクロ波チャンネルの放送素材信号を前記超伝導フィルタが設けられる第１系統とは異なる第２系統に出力する信号分配手段とを具備したことを特徴とするＳＴＬ／ＴＴＬ伝送システムの受信装置。
【請求項５】
前記超伝導フィルタは２個備え、
前記信号分配手段は、２端子対の結合器を備え、この結合器の一方の端子対を第１の端子対として２つの超伝導フィルタを接続し、他方の端子対を第２の端子対としこの第２の端子対のうちの一方の端子には受信した前記マイクロ波を入力し、前記２つの超伝導フィルタにより前記第２のマイクロ波チャンネルの放送素材信号を反射させることで、この第２のマイクロ波チャンネルの放送素材信号を前記第２の端子対の他方の端子から出力することを特徴とする請求項４記載のＳＴＬ／ＴＴＬ伝送システムの受信装置。
【請求項６】
前記信号分配手段は、受信した前記マイクロ波を超伝導フィルタが設けられた第１系統に導出し、該超伝導フィルタにより反射された第２のマイクロ波チャンネルの放送素材信号を前記第２系統に出力するサーキュレータを備えることを特徴とする請求項４記載のＳＴＬ／ＴＴＬ伝送システムの受信装置。
【発明の詳細な説明】
【０００１】
【発明の属する技術分野】
この発明は、地上デジタル放送に用いられるＳＴＬ／ＴＴＬ伝送システムで使用される送信装置及び受信装置に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
この地上デジタル放送では、例えば演奏所（スタジオ）及び送信所をマイクロ波により結ぶＳＴＬ（Ｓｔｕｄｉｏ  ｔｏ  Ｔｒａｎｓｍｉｔｔｅｒ  Ｌｉｎｋ）放送ネットワークの構築が一つの課題となっている（例えば、特許文献１）。また、送信所及び中継局をマイクロ波により結ぶＴＴＬ（Ｔｒａｎｓｍｉｔｔｅｒ  ｔｏ  Ｔｒａｎｓｍｉｔｔｅｒ  Ｌｉｎｋ）放送ネットワークの構築も一つの課題となっている。
【０００４】
ところで、アナログ放送では、上記ＳＴＬ／ＴＴＬ放送ネットワークを構築する際に、送信所または中継局に誘電体型フィルタを設け、この誘電体型フィルタにより所望のチャンネルの放送素材信号のみを抽出することで、妨害波を回避するようにしている。このアナログ放送では、周波数軸上に１８ＭＨｚの帯域幅を有し、互いに中心周波数が異なる複数チャンネルが配置される関係から、通過帯域幅が約２０ＭＨｚ程度の誘電体型フィルタが使用される（例えば、非特許文献１）。なお、誘電体型フィルタ以外に、空洞共振器型フィルタを用いるようにしてもよい。
【０００５】
一方、デジタル放送では、デジタル圧縮技術の採用により周波数軸上に９ＭＨｚの帯域幅の複数チャンネルを配置することができる。このため、隣接する周波数を同偏波で使用する場合には上記誘電体型フィルタをそのまま使用することができない。
そこで、デジタル放送では、互いに隣接する第１のチャンネルを垂直偏波に変換し、第２のチャンネルを水平偏波に変換して、これら垂直偏波及び水平偏波を交互に配置するインターリーブにより周波数配置を行う手法が検討されている。
【０００６】
【特許文献１】
特願２０００−００８１０８号
【０００７】
【非特許文献１】
ＡＲＩＢ  ＳＴＤ−Ｂ２２。
【０００８】
【発明が解決しようとする課題】
上記インターリーブによる周波数配置手法では、隣接するマイクロ波チャンネルが干渉を起こさないため、従来からの誘電体型フィルタをそのまま使用できるという利点がある。ところが、上記デジタル放送では、多チャンネル化が強く望まれているおり、さらに使用できる放送帯域にも限りがあるため、周波数軸上に９ＭＨｚの帯域幅のチャンネルを隣接して配置させることが余儀なくされる。従って、従来からの誘電体型フィルタをそのまま使用できず、これにより送信側にて送出すべき複数のマイクロ波チャンネルの放送素材信号を効率良く合成して受信側に送出したり、また受信側にて受信したマイクロ波から特定のマイクロ波チャンネルの放送素材信号のみ効率良く抽出したりといった対策が強く望まれていた。
【０００９】
そこで、この発明の目的は、送信側にて送出すべき複数マイクロ波チャンネルの放送素材信号をマイクロ波チャンネル単位で合成して送出し、受信側にて抽出すべく複数マイクロ波チャンネルの放送素材信号をマイクロ波チャンネル単位で効率良く分配し得るＳＴＬ／ＴＴＬ伝送システムの送信装置及び受信装置を提供することにある。
【００１０】
【課題を解決するための手段】
この発明は、上記目的を達成するために、以下のように構成される。
（１）デジタル放送に用いられ、互いに異なるマイクロ波チャンネルにより複数の演奏所または送信所から送出される複数の放送素材信号を個別に受信するＳＴＬ（Ｓｔｕｄｉｏ  ｔｏ  Ｔｒａｎｓｍｉｔｔｅｒ  Ｌｉｎｋ）／ＴＴＬ（Ｔｒａｎｓｍｉｔｔｅｒ  ｔｏ  Ｔｒａｎｓｍｉｔｔｅｒ  Ｌｉｎｋ）伝送システムの送信装置であって、送信すべく複数のマイクロ波チャンネルの放送素材信号の中から特定の第１のマイクロ波チャンネルの放送素材信号を抽出する少なくとも１つの超伝導フィルタと、この超伝導フィルタの出力と、該超伝導フィルタで抽出すべき第１のマイクロ波チャンネルとは異なる第２のマイクロ波チャンネルの放送素材信号とを選択的に合成する信号合成手段とを備えるようにしたものである。
（１）の構成によれば、指定されたマイクロ波チャンネルの放送素材信号を抽出するための超伝導フィルタを用意しておくことで、隣接または隣々接するマイクロ波チャンネルの放送素材信号を効率良く合成することができる。
【００１１】
（２）超伝導フィルタは２個備え、信号合成手段は、２端子対の結合器を備え、この結合器の一方の端子対を第１の端子対として２つの超伝導フィルタを接続し、他方の端子対を第２の端子対としこの第２の端子対のうちの一方の端子には第２のマイクロ波チャンネルの放送素材信号を入力し、２つの超伝導フィルタにより第２のマイクロ波チャンネルの放送素材信号を反射させることで、この第２のマイクロ波チャンネルの放送素材信号と超伝導フィルタから出力される第１のマイクロ波チャンネルの放送素材信号とを第２の端子対の他方の端子から出力することを特徴とする。
（２）の構成によれば、第１のマイクロ波チャンネルの放送素材信号を抽出するための超伝導フィルタを２つ用意するという簡単な構成により、第１及び第２のマイクロ波チャンネルの放送素材信号を効率良く合成することができる。
【００１２】
（３）信号合成手段は、超伝導フィルタの出力と、該超伝導フィルタで抽出すべき第１のマイクロ波チャンネルとは異なる第２のマイクロ波チャンネルの放送素材信号とを選択的に導出するサーキュレータを備えることを特徴とする。
（３）の構成によれば、第１のマイクロ波チャンネルの放送素材信号を抽出するための超伝導フィルタとサーキュレータとを備えるといった簡単な構成により、第１及び第２のマイクロ波チャンネルの放送素材信号を効率良く合成することができる。
【００１３】
（４）デジタル放送に用いられ、互いに異なるマイクロ波チャンネルにより複数の演奏所または送信所から送出される複数の放送素材信号を個別に受信するＳＴＬ／ＴＴＬ伝送システムの受信装置であって、受信したマイクロ波から特定の第１のマイクロ波チャンネルの放送素材信号を抽出する少なくとも１つの超伝導フィルタと、マイクロ波のうちの超伝導フィルタで抽出されない第２のマイクロ波チャンネルの放送素材信号を超伝導フィルタが設けられる第１系統とは異なる第２系統に出力する信号分配手段とを備えるようにしたものである。
（４）の構成によれば、指定されたマイクロ波チャンネルの放送素材信号を抽出するための超伝導フィルタを用意しておくことで、隣接または隣々接するマイクロ波チャンネルの放送素材信号を効率良く分配することができる。
【００１４】
【発明の実施の形態】
以下、この発明の実施形態について図面を参照して詳細に説明する。
図１は、この発明に係る地上デジタル放送のＳＴＬ／ＴＴＬ伝送システムの概略構成図である。
【００１５】
図１において、スタジオＡは、複数パケットを多重した放送素材信号としてのトランスポートストリーム（ＴＳ）を生成し、マイクロ波帯に周波数変換し電力増幅して、アンテナ１１によりマイクロ波（ＳＴＬ放送ネットワーク）で送信する。一方、親局送信所Ｂは、アンテナ２１によりスタジオＡからの送信波を受信し、放送用周波数に変換し電力増幅して、アンテナ２２により放送サービスエリアに向けて送信する。
【００１６】
また、親局送信所Ｂは、受信信号の中から指定チャンネルのトランスポートストリームを抽出し、マイクロ波帯に周波数変換し電力増幅して、アンテナ２３によりマイクロ波（ＴＴＬ放送ネットワーク）で送信する。中継局Ｃは、アンテナ３１により親局送信所Ｂからの送信波を受信し、放送用周波数に変換し電力増幅して、アンテナ３２により放送サービスエリアに向けて送信する。
【００１７】
（第１の実施形態）
この発明の第１の実施形態は、上記スタジオＡに関する。
図２は、スタジオＡ内に設置される送信装置としての合成器の要部構成を示すブロック図である。
【００１８】
図２において、合成器は、２端子対の結合器１２と、超伝導フィルタ１３，１４と、結合器１５と、冷却装置１６とを備えている。結合器１２の一方の端子対は、一端がダミーロードとして接地されており、他端には送出すべくマイクロ波チャンネルｆ１の放送素材信号の入力端子１７が接続されている。また、結合器１２の他方の端子対には、超伝導フィルタ１３，１４がそれぞれ接続されている。
【００１９】
これら超伝導フィルタ１３，１４は、電波法関係審査基準にて規定された性能よりも高い性能を持つもので、入力信号から設定された周波数帯域（マイクロ波チャンネル）を抽出する。ここでは、超伝導フィルタ１３，１４それぞれの中心周波数がマイクロ波チャンネルｆ１のスペクトラムに合わせられているものとする。
【００２０】
結合器１５の一方の端子対には、超伝導フィルタ１３，１４がそれぞれ接続されており、他方の端子対のうちの一端には２つのマイクロ波チャンネルｆ１，ｆ２の混合信号の出力端子１８が接続され、他端には他のマイクロ波チャンネルｆ２の放送素材信号の入力端子１９が接続されている。
【００２１】
すなわち、マイクロ波チャンネルｆ１の放送素材信号は、入力端子１７を介して結合器１２に供給され、結合器１２で２つの信号に分配されて、超伝導フィルタ１３，１４にそれぞれ供給される。これら超伝導フィルタ１３，１４を通過したマイクロ波チャンネルｆ１の放送素材信号は、結合器１５によって出力端子１８へ導出される。
【００２２】
一方、マイクロ波チャンネルｆ２の放送素材信号は、入力端子１９を介して結合器１５に供給されると、２つの信号に分配されて超伝導フィルタ１３，１４にそれぞれ供給される。しかし、超伝導フィルタ１３，１４は、中心周波数がマイクロ波チャンネルｆ１に合わせられているため、マイクロ波チャンネルｆ２の放送素材信号を結合器１５に送り返すことになる。このため、マイクロ波チャンネルｆ２の放送素材信号は、結合器１５によって出力端子１８へ導かれることになる。これにより、出力端子１８からは、マイクロ波チャンネルｆ１とマイクロ波チャンネルｆ２の混合信号が取り出されることになる。
また、超伝導フィルタ１３，１４には、冷却装置１６からの冷媒が供給され、これによりフィルタ特性の変動を防止することができる。
【００２３】
次に、上記構成における動作について説明する。
まず、合成するマイクロ波チャンネルｆ１，ｆ２の周波数間隔は、合成器に用いるＢＰＦ（バンドパスフィルタ）の特性（帯域外減衰量の特性）によって決まり、隣接する周波数帯域に対する帯域外減衰量を大きくとるようにすれば、隣接周波数を除去することができ、合成するマイクロ波チャンネルｆ１，ｆ２の周波数間隔を狭くすることができる。
【００２４】
ところが、従来からのＢＰＦには、一般的に空洞共振器型フィルタや誘電体型フィルタが用いられており、大きさ等の制限から、図３に示すようなフィルタ特性を有していた。このため、合成する周波数の間隔を隣接する周波数間隔に狭めることが困難であった。
【００２５】
そこで、本実施形態では、従来からのＢＰＦに代えて、超伝導フィルタ１３，１４を用いるようにしている。これら超伝導フィルタ１３，１４は、図４に示すように、中心周波数から低域側に５ＭＨｚ、中心周波数から高域側に５ＭＨｚで、１０ＭＨｚの通過帯域幅を有している。
【００２６】
スタジオＡで使用するＳＴＬ回線のマイクロ波チャンネルの放送素材信号は、９ＭＨｚの帯域幅を有する信号である。そこで、スタジオＡでは、図５に示すように、超伝導フィルタ１３，１４の中心周波数がマイクロ波チャンネルｆ１の放送素材信号のスペクトラムに合致するように設定されることになる。
【００２７】
従って、帯域内はフラット特性で狭帯域であり、帯域外減衰量は５０ｄＢ以上であるので、隣接するチャンネルからの干渉を誘電体型フィルタに比して、より良くカットできる。また、隣接チャンネルにおける帯域外減衰量については、誘電体型フィルタまたは空洞共振器型フィルタに比して約４０ｄＢ以上改善できる。
【００２８】
以上のように上記第１の実施形態では、指定されたマイクロ波チャンネルｆ１の放送素材信号を抽出するための超伝導フィルタ１３，１４を結合器１５の一方の端子対にそれぞれ接続し、結合器１５の他方の端子対にマイクロ波チャンネルｆ２の放送素材信号を入力するための入力端子１９及びマイクロ波チャンネルｆ１，ｆ２の混合信号を出力するための出力端子１８を接続するようにしている。従って、隣接または隣々接するマイクロ波チャンネルｆ１，ｆ２の放送素材信号を効率良く合成することができる。
また、空中線などを、狭い周波数間隔のマイクロ波チャンネルで共用できるようになり、周波数資源の有効利用率を高めることもできる。
【００２９】
また、上記第１の実施形態によれば、マイクロ波チャンネルｆ１，ｆ２の放送素材信号を別々に抽出する専用の超伝導フィルタを用意する必要がなく、マイクロ波チャンネルｆ１の放送素材信号を抽出する２つの超伝導フィルタ１３，１４及び結合器１２，１５のみの簡単な構成により、マイクロ波チャンネルｆ１，ｆ２の放送素材信号を効率良く合成することができる。
【００３０】
なお、上記第１の実施形態では、２つのマイクロ波チャンネルｆ１，ｆ２の放送素材信号を取り扱う例について説明したが、２以上の複数のマイクロ波チャンネルの放送素材信号を合成する場合には、合成器を多段に接続するようにすればよい。
【００３１】
（第２の実施形態）
この発明の第２の実施形態は、上記親局送信所Ｂに関する。
図６は、親局送信所Ｂ内に設置される受信装置としての分配器の要部構成を示すブロック図である。
図６において、分配器は、２端子対の結合器４１と、超伝導フィルタ４２，４３と、結合器４４と、冷却装置４５とを備えている。結合器４１の一方の端子対は、一端にスタジオＡからのマイクロ波信号を入力するための入力端子４６が接続されており、他端にマイクロ波チャンネルｆ２の放送素材信号を出力するための出力端子４７が接続されている。また、結合器４１の他方の端子対には、超伝導フィルタ４２，４３がそれぞれ接続されている。
【００３２】
これら超伝導フィルタ４２，４３は、電波法関係審査基準にて規定された性能よりも高い性能を持つもので、入力信号から設定された周波数帯域（マイクロ波チャンネル）を抽出する。ここでは、超伝導フィルタ４２，４３それぞれの中心周波数がマイクロ波チャンネルｆ１のスペクトラムに合わせられているものとする。
結合器４４の一方の端子対には、超伝導フィルタ４２，４３がそれぞれ接続されており、他方の端子対のうちの一端にはマイクロ波チャンネルｆ１の放送素材信号の出力端子４８が接続され、他端はダミーロードとして接地されている。
【００３３】
すなわち、スタジオＡから到来したマイクロ波信号は、入力端子４６を介して結合器４１に供給され、結合器１２で２つの信号に分配されて、超伝導フィルタ４２，４３にそれぞれ供給される。マイクロ波信号に含まれるマイクロ波チャンネルｆ１の放送素材信号は、超伝導フィルタ４２，４３を通過して結合器４４により出力端子４８に導かれる。
【００３４】
一方、マイクロ波信号に含まれるマイクロ波チャンネルｆ２の放送素材信号は、超伝導フィルタ４２，４３によって全反射されて結合器４１に送り返され、出力端子４７から導出されることになる。
また、超伝導フィルタ４２，４３には、冷却装置４５からの冷媒が供給され、これによりフィルタ特性の変動を防止することができる。
【００３５】
このように上記第２の実施形態にあっては、指定されたマイクロ波チャンネルｆ１の放送素材信号を抽出するための超伝導フィルタ４２，４３を結合器４１の一方の端子対にそれぞれ接続し、結合器４１の他方の端子対にマイクロ波チャンネルｆ２の放送素材信号を出力するための出力端子４７及びマイクロ波チャンネルｆ１，ｆ２の混合信号を入力するための入力端子４６を接続するようにしている。従って、隣接または隣々接するマイクロ波チャンネルｆ１，ｆ２の放送素材信号を効率良く分配することができる。
【００３６】
また、上記第２の実施形態によれば、マイクロ波チャンネルｆ１，ｆ２の放送素材信号を別々に抽出する専用の超伝導フィルタを用意する必要がなく、マイクロ波チャンネルｆ１の放送素材信号を抽出する２つの超伝導フィルタ４２，４３及び結合器４１，４４のみの簡単な構成により、マイクロ波チャンネルｆ１，ｆ２の放送素材信号を効率良く分配することができる。
【００３７】
また、上記第２の実施形態においても、上記第１の実施形態と同様に、空中線などを、狭い周波数間隔のマイクロ波チャンネルで共用できるようになり、周波数資源の有効利用率を高めることもできる。
なお、上記第２の実施形態では、２つのマイクロ波チャンネルｆ１，ｆ２の放送素材信号を取り扱う例について説明したが、２以上の複数のマイクロ波チャンネルの放送素材信号を分配する場合には、分配器を多段に接続するようにすればよい。
【００３８】
（第３の実施形態）
この発明の第３の実施形態は、上記スタジオＡに関する。
図７は、スタジオＡ内に設置される合成器の要部構成を示すブロック図である。
【００３９】
図７において、合成器は、ｎ個のサーキュレータ５１１〜５１ｎと、ｎ個の超伝導フィルタ５２１〜５２ｎと、冷却装置５３とを備えている。ここで、超伝導フィルタ５２１の中心周波数はマイクロ波チャンネルｆ１の放送素材信号のスペクトラムに合わせられ、超伝導フィルタ５２２の中心周波数はマイクロ波チャンネルｆ２の放送素材信号のスペクトラムに合わせられ、超伝導フィルタ５２ｎの中心周波数はマイクロ波チャンネルｆｎの放送素材信号のスペクトラムに合わせられる。
【００４０】
マイクロ波チャンネルｆ０の放送素材信号は、サーキュレータ５１１を通り、超伝導フィルタ５２１で全反射され、再びサーキュレータ５１１を通りサーキュレータ５１２に入力される。次に、サーキュレータ５１２を通り、超伝導フィルタ５２２で全反射され、再びサーキュレータ５１２を通り、サーキュレータ５１３に入力される。さらに、サーキュレータ５１３を通り、超伝導フィルタ５２３で全反射され、再びサーキュレータ５１３を通り、次の段へ入力され、これを、サーキュレータ５１ｎまで、ｎ段繰り返して出力される。
【００４１】
マイクロ波チャンネルｆ１の放送素材信号は、超伝導フィルタ５２１を通過してサーキュレータ５１１を通り、サーキュレータ５１２に入力される。そして、サーキュレータ５１２を通り、超伝導フィルタ５２２で全反射され、再びサーキュレータ５１２を通り、サーキュレータ５１３に入力される。次に、サーキュレータ５１３を通り、超伝導フィルタ５２３で全反射され、再びサーキュレータ５１３を通り、次の段へ入力され、これを、サーキュレータ５１ｎまで繰り返して出力される。
【００４２】
マイクロ波チャンネルｆ２，ｆ３，…ｆｎ−１それぞれの放送素材信号についても、マイクロ波チャンネルｆ１の放送素材信号と同様な動作となる。マイクロ波チャンネルｆｎの放送素材信号は、超伝導フィルタ５２ｎを通過しサーキュレータ５１ｎを通って出力される。
また、超伝導フィルタ５２１〜５２ｎには、冷却装置５３からの冷媒が供給され、これによりフィルタ特性の変動を防止することができる。
【００４３】
以上のように上記第３の実施形態にあっては、合成すべくマイクロ波チャンネル数分のサーキュレータ５１１〜５１ｎと超伝導フィルタ５２１〜５２ｎとを備えるといった簡単な構成により、マイクロ波チャンネルｆ０〜ｆｎの放送素材信号をマイクロ波チャンネル単位で効率良く合成することができる。
【００４４】
また、上記第３の実施形態においても、上記第１の実施形態と同様に、空中線などを、狭い周波数間隔のマイクロ波チャンネルで共用できるようになり、周波数資源の有効利用率を高めることもできる。
なお、上記第３の実施形態では、マイクロ波チャンネルｆ０〜ｆｎを取り扱う例について説明したが、取り扱うマイクロ波チャンネルに応じてサーキュレータ５１１〜５１ｎの個数及び超伝導フィルタ５２１〜５２ｎの個数を任意としてもよい。
【００４５】
（第４の実施形態）
この発明の第４の実施形態は、上記親局送信所Ｂに関する。
図８は、親局送信所Ｂ内に設置される分配器の要部構成を示すブロック図である。
【００４６】
図８において、分配器は、ｎ個のサーキュレータ６１１〜６１ｎと、ｎ個の超伝導フィルタ６２１〜６２ｎと、冷却装置６３とを備えている。ここで、超伝導フィルタ６２１の中心周波数はマイクロ波チャンネルｆ０の放送素材信号のスペクトラムに合わせられ、超伝導フィルタ６２２の中心周波数はマイクロ波チャンネルｆ１の放送素材信号のスペクトラムに合わせられ、超伝導フィルタ６２ｎの中心周波数はマイクロ波チャンネルｆｎ−１の放送素材信号のスペクトラムに合わせられる。
【００４７】
まず、マイクロ波チャンネルｆ０の放送素材信号は、サーキュレータ６１１を通り、超伝導フィルタ６２１を通過して出力される。
マイクロ波チャンネルｆ１の放送素材信号は、サーキュレータ６１１を通り、超伝導フィルタ６２１で全反射され、再びサーキュレータ６１１を通り、サーキュレータ６１２に入力される。次に、サーキュレータ６１２を通り、超伝導フィルタ６２２を通過して出力される。
【００４８】
なお、マイクロ波チャンネルｆ２…ｆｎ−１，ｆｎについてもマイクロ波チャンネルｆ１と同様で、それぞれ超伝導フィルタ６２３〜６２ｎにより抽出される。最終的に、サーキュレータ６１ｎからは、マイクロ波チャンネルｆｎの放送素材信号が出力されることになる。
また、超伝導フィルタ６２１〜６２ｎには、冷却装置６３からの冷媒が供給され、これによりフィルタ特性の変動を防止することができる。
【００４９】
以上のように上記第４の実施形態にあっては、分配すべくマイクロ波チャンネル数分のサーキュレータ６１１〜６１ｎと超伝導フィルタ６２１〜６２ｎとを備えるといった簡単な構成により、マイクロ波チャンネルｆ０〜ｆｎの放送素材信号をマイクロ波チャンネル単位で効率良く分配することができる。
また、上記第４の実施形態においても、上記第１の実施形態と同様に、空中線などを、狭い周波数間隔のマイクロ波チャンネルで共用できるようになり、周波数資源の有効利用率を高めることもできる。
【００５０】
なお、上記第４の実施形態では、マイクロ波チャンネルｆ０〜ｆｎを取り扱う例について説明したが、取り扱うマイクロ波チャンネルに応じてサーキュレータ６１１〜６１ｎの個数及び超伝導フィルタ６２１〜６２ｎの個数を任意としてもよい。
【００５１】
（その他の実施形態）
なお、この発明は上記各実施形態に限定されるものではない。例えば上記各実施形態では、スタジオＡに合成器を備え、親局送信所Ｂに分配器を備える例について説明した。しかしこれに限ることはなく、例えば親局送信所Ｂに合成器を備え、中継局Ｃに分配器を備えるようにしてもよい。
その他、合成器の構成、分配器の構成、取り扱うマイクロ波チャンネルの数等についても、この発明の要旨を逸脱しない範囲で種々変形して実施できる。
【００５２】
【発明の効果】
以上詳述したようにこの発明によれば、送信側にて送出すべき複数マイクロ波チャンネルの放送素材信号をマイクロ波チャンネル単位で合成して送出し、受信側にて抽出すべく複数マイクロ波チャンネルの放送素材信号をマイクロ波チャンネル単位で効率良く分配し得るＳＴＬ／ＴＴＬ伝送システムの送信装置及び受信装置を提供することができる。
【図面の簡単な説明】
【図１】この発明に係る地上デジタル放送のＳＴＬ／ＴＴＬ伝送システムの概略構成図。
【図２】この発明の第１の実施形態に係る合成器の要部構成を示すブロック図。
【図３】従来から使用されたフィルタの特性図。
【図４】同第１の実施形態で使用される超伝導フィルタのフィルタ特性図。
【図５】同第１の実施形態において、超伝導フィルタを使用した場合の抽出すべくマイクロ波チャンネルの周波数配置例を示す図。
【図６】この発明の第２の実施形態に係る分配器の要部構成を示すブロック図。
【図７】この発明の第３の実施形態に係る合成器の要部構成を示すブロック図。
【図８】この発明の第４の実施形態に係る分配器の要部構成を示すブロック図。
【符号の説明】
１１…アンテナ、１２，１５…結合器、１３，１４…超伝導フィルタ、１６…冷却装置、１７…入力端子、１８…出力端子、１９…入力端子、２１，２２，２３，３１，３２…アンテナ、４１，４４…結合器、４２，４３…超伝導フィルタ、４５…冷却装置、４６…入力端子、４７…出力端子、４８…出力端子、５１１〜５１ｎ…サーキュレータ、５２１〜５２ｎ…超伝導フィルタ、５３…冷却装置、６１１〜６１ｎ…サーキュレータ、６２１〜６２ｎ…超伝導フィルタ、６３…冷却装置、Ａ…スタジオ、Ｂ…親局送信所、Ｃ…中継局。
【図１】
2005064578.tif 000003
【図２】
2005064578.tif 000004
【図３】
2005064578.tif 000005
【図４】
2005064578.tif 000006
【図５】
2005064578.tif 000007
【図６】
2005064578.tif 000008
【図７】
2005064578.tif 000009
【図８】
2005064578.tif 000010